(57)【要約】【課題】映像光および外界光に含まれる視感度の高い光を吸収して、観察映像の色再現領域を広げるとともに、観察映像の視認性を向上させる。【解決手段】表示素子１４からの映像光と外界光とを接眼光学系１５を介して同時に光学瞳Ｐに導く映像表示装置において、接眼光学系１５は、第１の透明基板３１および第２の透明基板３２を有している。第１の透明基板３１は、表示素子１４からの映像光が通過する光学面（面３１ａ・３１ｂ）を有しており、第２の透明基板３２は、外界光が通過する光学面（面３２ａ・３２ｂ）を有している。光源のＧの発光主波長が５１０ｎｍから５３５ｎｍの間に存在し、Ｒの発光主波長が６３０ｎｍから６６０ｎｍの間に存在しているとき、第１の透明基板３１および第２の透明基板３２は、Ｇの発光主波長からＲの発光主波長の間に吸収極大の波長が存在する色素を含有している。【選択図】図１
2010271526.tif 000002
【特許請求の範囲】
【請求項１】
光源と、
前記光源からの光を変調して映像を表示する表示素子と、
前記表示素子からの映像光と外界光とを同時に光学瞳に導く観察光学系とを備えた映像表示装置であって、
前記観察光学系は、前記表示素子からの映像光が通過する光学面と、外界光が通過する光学面とを有する透明基板を有しており、
前記光源から出射される光は、青、緑、赤の各色の波長域において、発光主波長と該発光主波長を含む発光波長領域とを有しており、
前記緑の波長域における発光主波長は５１０ｎｍから５３５ｎｍの間に存在する一方、前記赤の波長域における発光主波長は６３０ｎｍから６６０ｎｍの間に存在しており、
前記透明基板は、前記緑の発光主波長から前記赤の発光主波長の間に吸収極大の波長が存在する色素を含有していることを特徴とする映像表示装置。
【請求項２】
光源と、
前記光源からの光を変調して映像を表示する表示素子と、
前記表示素子からの映像光と外界光とを同時に光学瞳に導く観察光学系とを備えた映像表示装置であって、
前記観察光学系は、前記表示素子からの映像光が通過する光学面と、外界光が通過する光学面とを有する透明基板を有しており、
前記光源から出射される光は、青、緑、赤の各色の波長域において、発光主波長と該発光主波長を含む発光波長領域とを有しており、
前記緑の波長域における発光主波長は５１０ｎｍから５３５ｎｍの間に存在する一方、前記赤の波長域における発光主波長は６３０ｎｍから６６０ｎｍの間に存在しており、
前記透明基板において、映像光が通過する少なくとも１つの光学面および外界光が通過する少なくとも１つの光学面は、前記緑の発光主波長から前記赤の発光主波長の間に吸収極大の波長が存在する色素を有する膜で覆われていることを特徴とする映像表示装置。
【請求項３】
前記色素は、５４５ｎｍから５６０ｎｍの間に吸収極大の波長が存在する第１のスクアリリウム色素を含んでいることを特徴とする請求項１または２に記載の映像表示装置。
【請求項４】
前記色素は、５８０ｎｍから６０５ｎｍの間に吸収極大の波長が存在する第２のスクアリリウム色素と、５９０ｎｍから６１５ｎｍの間に吸収極大の波長が存在する第３のスクアリリウム色素とをさらに含んでいることを特徴とする請求項３に記載の映像表示装置。
【請求項５】
前記観察光学系は、体積位相型で反射型のホログラム光学素子を含んでおり、前記透明基板を介して入射する前記表示素子からの映像光を前記ホログラム光学素子で回折反射させて光学瞳に導くことを特徴とする請求項１から４のいずれかに記載の映像表示装置。
【請求項６】
前記透明基板における外界光が透過する部分の厚みは一定であることを特徴とする請求項１から５のいずれかに記載の映像表示装置。
【請求項７】
請求項１から６のいずれかに記載の映像表示装置と、
前記映像表示装置を観察者の眼前で支持する支持手段とを備えていることを特徴とするヘッドマウントディスプレイ。
【請求項８】
請求項１から６のいずれかに記載の映像表示装置を備え、前記映像表示装置の前記観察光学系の少なくとも一部が、観察者の視界内に位置していることを特徴とするヘッドアップディスプレイ。
【発明の詳細な説明】
【技術分野】
【０００１】
本発明は、表示素子からの映像光と外界光とを同時に観察者の瞳に導く映像表示装置と、その映像表示装置を備えたヘッドマウントディスプレイ（以下、ＨＭＤとも称する）およびヘッドアップディスプレイ（以下、ＨＵＤとも称する）とに関するものである。
【背景技術】
【０００２】
表示素子にて表示された映像の虚像と外界とを同時に観察者に観察させるシースルー型の映像表示装置として、例えば特許文献１に開示されたものがある。この映像表示装置では、観察光学系の眼鏡レンズを染色液に浸して着色することにより、眼鏡レンズを透過する外界光を減光し、外界が明るい場合でも表示素子に表示された映像（虚像）を観察しやすくしている。
【０００３】
ただし、眼鏡レンズが着色されていることにより、表示素子から眼鏡レンズを介して光学瞳に導かれる映像光も減光されるので、例えば表示素子を照明する光源の赤（Ｒ）、緑（Ｇ）、青（Ｂ）の光の強度を変化させることにより、表示素子にて表示された映像が本来の表示色とは異なる色で観察されるのを回避している。
【先行技術文献】
【特許文献】
【０００４】
【特許文献１】特開２００８−８９３２号公報
【発明の概要】
【発明が解決しようとする課題】
【０００５】
図１２は、人間の明所視標準比視感度を示すグラフである。同図に示すように、人間は波長５５５ｎｍ付近の光を最も明るく感じる。したがって、波長５５５ｎｍ付近の視感度の高い光が映像光に含まれると、観察者が観察する映像において、波長５５５ｎｍに比較的近い色であるＧとＲの色純度が低下し、結果として観察映像の色再現領域が狭くなる。また、視感度の高い光が外界光に含まれると、観察者は外界を明るく視認するため、観察映像の視認性が低下する。特許文献１は、人間の視感度を考慮した設定とはなっていないため、上記のように観察映像の色再現領域が狭くなり、観察映像の視認性も低下する。
【０００６】
本発明は、上記の問題点を解決するためになされたもので、その目的は、映像光および外界光に含まれる視感度の高い光を吸収して、観察映像の色再現領域を広げることができるとともに、観察映像の視認性を向上させることができる映像表示装置と、その映像表示装置を備えたＨＭＤおよびＨＵＤとを提供することにある。
【課題を解決するための手段】
【０００７】
本発明の映像表示装置は、光源と、前記光源からの光を変調して映像を表示する表示素子と、前記表示素子からの映像光と外界光とを同時に光学瞳に導く観察光学系とを備えた映像表示装置であって、前記観察光学系は、前記表示素子からの映像光が通過する光学面と、外界光が通過する光学面とを有する透明基板を有しており、前記光源から出射される光は、青、緑、赤の各色の波長域において、発光主波長と該発光主波長を含む発光波長領域とを有しており、前記緑の波長域における発光主波長は５１０ｎｍから５３５ｎｍの間に存在する一方、前記赤の波長域における発光主波長は６３０ｎｍから６６０ｎｍの間に存在しており、前記透明基板は、前記緑の発光主波長から前記赤の発光主波長の間に吸収極大の波長が存在する色素を含有していることを特徴としている。
【０００８】
本発明の映像表示装置は、光源と、前記光源からの光を変調して映像を表示する表示素子と、前記表示素子からの映像光と外界光とを同時に光学瞳に導く観察光学系とを備えた映像表示装置であって、前記観察光学系は、前記表示素子からの映像光が通過する光学面と、外界光が通過する光学面とを有する透明基板を有しており、前記光源から出射される光は、青、緑、赤の各色の波長域において、発光主波長と該発光主波長を含む発光波長領域とを有しており、前記緑の波長域における発光主波長は５１０ｎｍから５３５ｎｍの間に存在する一方、前記赤の波長域における発光主波長は６３０ｎｍから６６０ｎｍの間に存在しており、前記透明基板において、映像光が通過する少なくとも１つの光学面および外界光が通過する少なくとも１つの光学面は、前記緑の発光主波長から前記赤の発光主波長の間に吸収極大の波長が存在する色素を有する膜で覆われていることを特徴としている。
【０００９】
本発明の映像表示装置において、前記色素は、５４５ｎｍから５６０ｎｍの間に吸収極大の波長が存在する第１のスクアリリウム色素を含んでいてもよい。
【００１０】
本発明の映像表示装置において、前記色素は、５８０ｎｍから６０５ｎｍの間に吸収極大の波長が存在する第２のスクアリリウム色素と、５９０ｎｍから６１５ｎｍの間に吸収極大の波長が存在する第３のスクアリリウム色素とをさらに含んでいてもよい。
【００１１】
本発明の映像表示装置において、前記観察光学系は、体積位相型で反射型のホログラム光学素子を含んでおり、前記透明基板を介して入射する前記表示素子からの映像光を前記ホログラム光学素子で回折反射させて光学瞳に導く構成であってもよい。
【００１２】
本発明の映像表示装置において、前記透明基板における外界光が透過する部分の厚みは一定であることが望ましい。
【００１３】
本発明のヘッドマウントディスプレイは、上述した本発明の映像表示装置と、前記映像表示装置を観察者の眼前で支持する支持手段とを備えていてもよい。
【００１４】
本発明のヘッドアップディスプレイは、上述した本発明の映像表示装置を備え、前記映像表示装置の前記観察光学系の少なくとも一部が、観察者の視界内に位置していてもよい。
【発明の効果】
【００１５】
本発明によれば、観察光学系の透明基板が、緑（Ｇ）の発光主波長から赤（Ｒ）の発光主波長の間に吸収極大の波長が存在する色素を含有している、あるいは、上記透明基板において、映像光が通過する少なくとも１つの光学面および外界光が通過する少なくとも１つの光学面が、上記色素を有する膜で覆われているので、映像光に波長５５５ｎｍ付近の視感度の高い光が含まれていても、その光を上記色素で吸収することができる。これにより、観察者が観察する映像においてＧとＲの色純度が低下するのを回避することができ、観察映像の色再現領域を広げることができる。しかも、波長５５５ｎｍ付近の光は、Ｇの発光主波長から離れた光であって、映像光としては元々不要な光であるため、このような不要な光のみを色素で吸収することにより、映像光として必要な波長の光をそのまま利用しながら観察映像の色再現領域を広げることができる。
【００１６】
また、外界光についても同様に透明基板を透過する際に上記色素で吸収されるが、外界光に含まれる光のうち、波長５５５ｎｍ付近の視感度の高い光が上記色素で吸収されるので、観察者が観察する外界の明るさを抑えて、観察映像の視認性を向上させることができる。
【図面の簡単な説明】
【００１７】
【図１】本発明の実施の一形態の映像表示装置の概略の構成を示す断面図である。
【図２】（ａ）は、上記映像表示装置が適用されるＨＭＤの概略の構成を示す平面図であり、（ｂ）は、ＨＭＤの側面図であり、（ｃ）は、ＨＭＤの正面図である。
【図３】上記映像表示装置の光源の発光特性を示す説明図である。
【図４】ＸＹＺ表色系におけるＸＹ色度座標を示す説明図である。
【図５】上記映像表示装置の他の構成を模式的に示す断面図である。
【図６】本発明の他の実施の形態の映像表示装置の概略の構成を示す断面図である。
【図７】上記映像表示装置の光源の発光特性を示す説明図である。
【図８】上記映像表示装置のＨＯＥの回折特性を示す説明図である。
【図９】上記映像表示装置の他の構成を模式的に示す断面図である。
【図１０】本発明のさらに他の実施の形態のＨＵＤの概略の構成を示す断面図である。
【図１１】上記ＨＵＤに適用される映像表示装置の他の構成を模式的に示す断面図である。
【図１２】人間の明所視標準比視感度を示すグラフである。
【発明を実施するための形態】
【００１８】
〔実施の形態１〕
本発明の実施の一形態について、図面に基づいて説明すれば、以下の通りである。
【００１９】
（ＨＭＤについて）
図２（ａ）は、本実施形態に係るＨＭＤの概略の構成を示す平面図であり、図２（ｂ）は、ＨＭＤの側面図であり、図２（ｃ）は、ＨＭＤの正面図である。ＨＭＤは、映像表示装置１と、支持手段２とを有しており、全体として、一般の眼鏡から一方（例えば左眼用）のレンズを取り除いたような外観となっている。
【００２０】
映像表示装置１は、観察者に外界をシースルーで観察させるとともに、映像を表示して観察者にそれを虚像として提供するものである。図２（ｃ）で示す映像表示装置１において、眼鏡の右眼用レンズに相当する部分は、後述する接眼光学系１５で構成される。なお、映像表示装置１の詳細な構成については後述する。
【００２１】
支持手段２は、映像表示装置１を観察者の眼前（例えば右眼の前）で支持するものであり、ブリッジ３と、フレーム４と、テンプル５と、鼻当て６と、ケーブル７とを有している。なお、フレーム４、テンプル５および鼻当て６は、左右一対設けられているが、これらを左右で区別する場合は、右フレーム４Ｒ、左フレーム４Ｌ、右テンプル５Ｒ、左テンプル５Ｌ、右鼻当て６Ｒ、左鼻当て６Ｌのように表現するものとする。
【００２２】
映像表示装置１の一端は、ブリッジ３に支持されている。このブリッジ３は、映像表示装置１のほかにも左フレーム４Ｌおよび鼻当て６を支持している。左フレーム４Ｌは、左テンプル５Ｌを回動可能に支持している。一方、映像表示装置１の他端は、右フレーム４Ｒに支持されている。右フレーム４Ｒにおいて映像表示装置１の支持側とは反対側端部は、右テンプル５Ｒを回動可能に支持している。鼻当て６は、ブリッジ３に可動に支持されており、映像表示装置１に対して観察者の瞳位置を調整した後にブリッジ３に対して固定される。ケーブル７は、外部信号（例えば映像信号、制御信号）や電力を映像表示装置１に供給するための配線であり、右フレーム４Ｒおよび右テンプル５Ｒに沿って設けられている。
【００２３】
観察者がＨＭＤを使用するときは、右テンプル５Ｒおよび左テンプル５Ｌを観察者の右側頭部および左側頭部に接触させるとともに、鼻当て６を観察者の鼻に当て、一般の眼鏡をかけるようにＨＭＤを観察者の頭部に装着する。この状態で、映像表示装置１にて映像を表示すると、観察者は、その表示映像を虚像として観察することができるとともに、映像表示装置１を介して外界をシースルーで観察することができる。
【００２４】
上記構成のＨＭＤにおいては、映像表示装置１が支持手段２によって観察者の眼前で支持されるので、観察者は映像表示装置１から提供される映像をハンズフリーで観察することができる。
【００２５】
なお、図２（ａ）（ｂ）（ｃ）で示したＨＭＤは、映像表示装置１を１個だけ備えた構成であるが、左右の両眼に対応して映像表示装置１を２個備えた構成であっても勿論構わない。また、本実施形態では、鼻当て６を可動にして観察者の瞳位置を調整できるようにしているが、周知の眼幅調整機構を用いることも可能である。
【００２６】
（映像表示装置について）
次に、上記した映像表示装置１の詳細について説明する。図１は、映像表示装置１の概略の構成を示す断面図である。映像表示装置１は、図示しない光源および照明光学系と、表示素子１４と、接眼光学系１５とを有して構成されている。
【００２７】
光源は、表示素子１４を照明するものであり、本実施形態では、青（Ｂ）、緑（Ｇ）、赤（Ｒ）の各波長領域の光を同一の発光面から発光する高演色白色光源で構成されている。つまり、光源は、例えば、Ｂ光を発光する半導体発光素子であるＬＥＤと、Ｂ光で励起されてＧ光を発光する緑色蛍光体と、Ｂ光で励起されてＲ光を発光する赤色蛍光体とを有して構成され、ＢＧＲの各光を同一の発光面から発光する。なお、光源の発光特性については後述する。光源（特に上記の同一の発光面）は、接眼光学系１５によって形成される光学瞳Ｐと略共役となるように配置されている。照明光学系は、光源からの光を集光して表示素子１４に導くものであり、例えば集光レンズで構成されている。
【００２８】
表示素子１４は、光源からの光を画像データに応じて変調して映像を表示するものであり、例えば透過型のＬＣＤで構成されている。表示素子１４は、矩形の表示画面の長辺方向が水平方向となり、短辺方向がそれに垂直な方向となるように配置されている。
【００２９】
接眼光学系１５は、表示素子１４からの映像光と外界光とを同時に光学瞳Ｐ（または光学瞳Ｐの位置にある観察者の瞳）に導く観察光学系であり、第１の透明基板３１と、第２の透明基板３２と、半透過反射膜３３とを有して構成されている。なお、第１の透明基板３１と第２の透明基板３２とをまとめて指すときは、単に透明基板と称する。また、透明基板は、特定の波長域の光を吸収する色素を含有しているが、この点については後述する。
【００３０】
第１の透明基板３１は、自由曲面プリズムで構成されており、光学面である面３１ａ・３１ｂ・３１ｃが全て自由曲面となっている。ここで、面３１ａは、表示素子１４からの映像光の入射面である。面３１ｂは、映像光の全反射面兼射出面である。面３１ｃは、面３１ｂと対向し、かつ、第２の透明基板３２と半透過反射膜３３を介して貼り合わされる面であり、映像光の入射側から見て凹面（第２の透明基板３２側に凸となる面）である。なお、面３１ａ・３１ｂ・３１ｃは、平面であってもよいし、球面であってもよい。
【００３１】
第２の透明基板３２は、外界光が第１の透明基板３１を透過するときの屈折をキャンセルするための補正用基板であり、第１の透明基板３１と半透過反射膜３３を介して貼り合わされる。第２の透明基板３２の光学面である面３２ａ・３２ｂのうち、面３２ａは外界光の入射面であり、面３２ｂは外界光の射出面である。
【００３２】
第１の透明基板３１の面３１ｂと第２の透明基板３２の面３２ｂとは滑らかに接続されており、面３１ｂと面３２ａとの距離、および面３２ｂと面３２ａとの距離はほぼ同じとなっている。したがって、第１の透明基板３１および第２の透明基板３２を貼り合わせた状態における透明基板の厚み、すなわち、第１の透明基板３１および第２の透明基板３２における外界光が透過する部分の厚みｔは、一定である。
【００３３】
半透過反射膜３３は、透過率によって透過および反射を選択する膜であり、第１の透明基板３１の面３１ｃ上に形成されている。なお、半透過反射膜３３に代えて、偏光特性によって透過および反射を選択する偏光分離膜や、波長によって透過および反射を選択する誘電体多層膜、あるいはホログラムを用いてもよい。つまり、面３１ｃには、入射光を選択的に透過または反射させる選択透過反射膜が形成されていればよい。
【００３４】
上記の構成において、表示素子１４からの映像光は、第１の透明基板３１の内部に面３１ａから入射し、面３１ｂで全反射された後、面３１ｃの凹面および半透過反射膜３３によって反射集光され、面３１ｂを介して光学瞳Ｐに導かれる。これにより、光学瞳Ｐの位置にて、観察者は表示素子１４に表示された映像の拡大虚像を観察することができる。一方、外界光は、面３２ａを透過し、半透過反射膜３３および面３１ｂを介して光学瞳Ｐに導かれるとともに、面３２ａおよび面３２ｂを介して光学瞳Ｐに導かれる。つまり、第１の透明基板３１および第２の透明基板３２は、外界光をほとんど全て透過させる。これにより、光学瞳Ｐの位置にて、観察者は上記の映像と同時に外界をシースルーで観察することができる。
【００３５】
上述したように、透明基板（第１の透明基板３１および第２の透明基板３２）における、外界光が透過する部分の厚みｔは一定であるので、透明基板を介して観察される外界の像に歪みが生じることはなく、観察者は外界を良好に観察することができる。
【００３６】
（光源の発光特性について）
次に、光源の発光特性について説明する。図３は、光源の発光特性を示している。光源から出射される光は、４００ｎｍ以上５００ｎｍ未満のＢの波長域、５００ｎｍ以上５７０ｎｍ未満のＧの波長域、５７０ｎｍ以上７００ｎｍ未満のＲの波長域のそれぞれにおいて、１つの発光主波長（発光ピーク波長、放射ピーク波長）と、その発光主波長を含む発光波長領域とを有している。なお、上記の発光波長領域としては、例えば、ＢＧＲの各波長域内で、かつ、発光ピークの半値波長全幅内の領域を考えることができる。
【００３７】
本実施形態では、ＢＧＲの各波長域での発光主波長をそれぞれλ１B、λ１G、λ１Rとし、発光ピークの半値波長全幅をそれぞれΔλ１B、Δλ１G、Δλ１Rとすると、例えば、λ１B＝４５３ｎｍ（約４６０ｎｍ）、λ１G＝５３１ｎｍ（約５２５ｎｍ）、λ１R＝６５２ｎｍ（約６５０ｎｍ）であり、Δλ１B＝２６ｎｍ、Δλ１G＝１００ｎｍ、Δλ１R＝１２０ｎｍである。なお、Ｇの波長域における発光主波長は、５１０ｎｍから５３５ｎｍの間に存在し、Ｒの波長域における発光主波長は、６３０ｎｍから６６０ｎｍの間に存在していればよい。
【００３８】
（透明基板の色素について）
次に、透明基板が含有する色素について説明する。透明基板（第１の透明基板３１、第２の透明基板３２）は、例えばＰＭＭＡ（ポリメチルメタクリレート）といったプラスチック材料で形成されているが、さらに、Ｇの発光主波長からＲの発光主波長の間に吸収極大の波長が存在する色素を含有している。このような色素としては、例えば以下に示す第１〜第３のスクアリリウム色素を考えることができる。
【００３９】
第１のスクアリリウム色素は、５４５ｎｍから５６０ｎｍの間に吸収極大の波長が存在する色素である。この第１のスクアリリウム色素は、以下の構造式で表されるものである。
【００４０】
【化１】
2010271526.tif 000003
【００４１】
第２のスクアリリウム色素は、５８０ｎｍから６０５ｎｍの間に吸収極大の波長が存在する色素である。この第２のスクアリリウム色素は、以下の構造式で表されるものである。
【００４２】
【化２】
2010271526.tif 000004
【００４３】
第３のスクアリリウム色素は、５９０ｎｍから６１５ｎｍの間に吸収極大の波長が存在する色素である。この第３のスクアリリウム色素は、以下の構造式で表されるものである。
【００４４】
【化３】
2010271526.tif 000005
【００４５】
透明基板が第１〜第３のスクアリリウム色素を含有していることにより、５４５ｎｍから６１５ｎｍの間の波長の光を吸収することができる。なお、上記の３つの波長範囲は、あくまでも吸収極大の波長が存在する範囲であり、５４５ｎｍから６１５ｎｍの間で吸収波長が途切れることはない。
【００４６】
このように、接眼光学系１５の透明基板が、Ｇの発光主波長からＲの発光主波長の間に吸収極大の波長が存在する色素を含有していることにより、映像光に波長５５５ｎｍ付近の視感度の高い光が含まれていても、その視感度の高い光を上記色素で吸収することができる。これにより、観察者が観察する映像においてＧとＲの色純度が低下するのを回避することができ、観察映像の色再現領域を広げることができる。しかも、波長５５５ｎｍ付近の光は、Ｇの発光主波長から離れた光であって、映像光としては元々不要な光であるため、このような不要な光のみを色素で吸収することにより、映像光として必要な波長の光をそのまま利用しながら観察映像の色再現領域を広げることができる。
【００４７】
ここで、図４は、ＸＹＺ表色系におけるＸＹ色度座標（色度図）を示している。透明基板が上記色素（第１〜第３のスクアリリウム色素）を含有していない場合、観察映像の色再現領域は破線Ｐ1で示す領域となるが、透明基板が上記色素を含有している場合、観察映像の色再現領域は実線Ｐ2で示す領域となる。すなわち、透明基板が上記色素を含有していることにより、同図のように、観察映像の色再現領域を広げることができる。
【００４８】
また、外界光についても同様に透明基板の上記色素で吸収されるが、外界光に含まれる光のうち、波長５５５ｎｍ付近の視感度の高い光が上記色素で吸収されるので、観察者が観察する外界の明るさを抑えて、観察映像の視認性を向上させることができる。また、上記色素により、外界光は吸収され、低減されるが、映像光の必要な波長の光は低減されないので、光源光量の増大のために生じる消費電力の増大を回避することができ、バッテリー駆動の場合でも装置の長期使用が可能となる。さらに、透明基板に上記色素を混ぜるだけなので、装置の重量増を招くこともない。
【００４９】
また、上記の色素は、５４５ｎｍから５６０ｎｍの間に吸収極大の波長が存在する第１のスクアリリウム色素を含んでいるので、映像光や外界光に含まれる波長５５５ｎｍ付近の視感度の高い光を第１のスクアリリウム色素で確実に吸収することができる。これにより、観察映像の色再現領域を確実に広げることができるとともに、観察映像の視認性を確実に向上させることができる。
【００５０】
さらに、透明基板は、第１のスクアリリウム色素に加えて、５８０ｎｍから６０５ｎｍの間に吸収極大の波長が存在する第２のスクアリリウム色素と、５９０ｎｍから６１５ｎｍの間に吸収極大の波長が存在する第３のスクアリリウム色素とをさらに含有している。
【００５１】
本実施形態のように、映像光と外界光とのコンバイナとして半透過反射膜３３を用いた場合、光学瞳Ｐに入射する映像光のＧとＲの波長幅が、コンバイナとしてＨＯＥを用いる後述する実施の形態２に比べて広くなる（ＨＯＥは波長選択性を有しているため）。しかし、この場合でも、Ｇの発光主波長とＲの発光主波長との間の広い波長範囲内で映像光として不要な光を、第１のスクアリリウム色素のみならず、第２および第３のスクアリリウム色素で吸収して、観察映像の色再現領域を広げることができる。したがって、第２および第３のスクアリリウム色素を用いる構成は、特に映像光の波長幅が広い本実施形態において非常に有効となる。また、外界光も第１〜第３のスクアリリウム色素で吸収され、減衰されるので、映像視認性をさらに向上させることができる。
【００５２】
また、外界光は、上述した色素により、透明基板を通過する距離に比例して減衰されるが、上述したように、透明基板における外界光が透過する部分の厚みｔは一定であるので、外界光は透明基板に平行な面内でほぼ均一に減衰される。これにより、映像の視認性も画面内でほぼ均一にすることができる。
【００５３】
ところで、図５は、映像表示装置１の他の構成を模式的に示す断面図である。同図に示すように、透明基板（第１の透明基板３１、第２の透明基板３２）の外表面の全てが、膜１６で覆われていてもよい。つまり、透明基板の表面が膜１６でコーティングされていてもよい。ただし、膜１６は、Ｇの発光主波長からＲの発光主波長の間に吸収極大の波長が存在する上述した色素を有する膜である。なお、上記色素は、第１〜第３のスクアリリウム色素のうち、少なくとも第１のスクアリリウム色素を含む。このような構成であっても、透明基板を通過する映像光および外界光に含まれる光のうちで、視感度の高い波長５５５ｎｍ付近の光が膜１６の色素で吸収されるので、観察映像の色再現領域を広げる効果および観察映像の視認性を向上させる効果を得ることができる。
【００５４】
なお、図５において、透明基板の外表面の全てが膜１６で覆われる必要はなく、映像光が通過する少なくとも１つの光学面および外界光が通過する少なくとも１つの光学面が膜１６で覆われていればよい。つまり、透明基板において、映像光の入射面である面３１ａと射出面である面３１ｂとの少なくとも一方、および外界光の入射面である面３２ａと射出面である面３１ｂ・３２ｂとの少なくとも一方が、Ｇの発光主波長からＲの発光主波長の間に吸収極大の波長が存在する上述した色素を有する膜１６で覆われていればよい。ただし、膜１６で覆う光学面の組み合わせを、面３１ｂと面３２ａの組み合わせとすると、外界の明るさが２段階になるので、膜１６ａで覆う光学面の組み合わせは、映像光の入射面（面３１ａ）と外界光の入射面（面３２ａ）との組み合わせ、または、映像光の射出面と外界光の射出面との組み合わせ（面３１ｂ・３２ｂ）とするほうが望ましい。
【００５５】
〔実施の形態２〕
本発明の他の実施の形態について、図面に基づいて説明すれば、以下の通りである。なお、以下での説明の便宜上、実施の形態１と同一の構成には同一の部材番号を付記し、その説明を省略する。
【００５６】
図６は、本実施形態の映像表示装置１の概略の構成を示す断面図である。本実施形態の映像表示装置１は、光源１１と、一方向拡散板１２と、集光レンズ１３と、表示素子１４と、接眼光学系１５とを有しており、図２（ａ）（ｂ）（ｃ）で示したＨＭＤに適用可能なものである。光源１１、一方向拡散板１２、集光レンズ１３および表示素子１４と、接眼光学系１５の一部は、筐体１０内に位置している。
【００５７】
光源１１は、例えば赤（Ｒ）、緑（Ｇ）、青（Ｂ）の各色の光を発光する３つの発光チップを水平方向（左右方向）に並べて一体化した、いわゆるＲＧＢ一体型のＬＥＤで構成されている。ここで、図７は、光源１１の発光特性を示している。光源１１において、発光強度のピーク波長（発光主波長）は、例えば、４６５ｎｍ、５２０ｎｍ、６３５ｎｍとなっている。なお、図７の発光強度は、Ｂ光の最大光強度を１００としたときの相対値で示している。光源１１のＲＧＢの発光強度は、後述するＨＯＥ４３の回折効率や、表示素子１４の透過率を考慮して調整され、これによって白色表示を行うことが可能となる。
【００５８】
一方向拡散板１２は、光源１１からの出射光を拡散させるものであるが、その拡散度は、方向によって異なっている。より詳細には、一方向拡散板１２は、光源１１のＲＧＢの各発光部が並ぶ水平方向には、入射光を約３０゜拡散させ、上記水平方向に垂直な方向には、入射光を約０．５゜拡散させる。
【００５９】
集光レンズ１３は、一方向拡散板１２にて拡散された光を、拡散方向とは垂直方向に集光するシリンダレンズで構成されており、拡散光が効率よく光学瞳Ｐを形成するように配置されている。
【００６０】
表示素子１４は、実施の形態１と同様に、光源１１からの出射光を画像データに応じて変調して映像を表示するものであり、例えば、光が透過する領域となる各画素をマトリクス状に有する透過型の液晶表示素子（ＬＣＤ）で構成されている。
【００６１】
接眼光学系１５は、表示素子１４からの映像光、すなわち、表示素子１４にて表示された映像に対応する光と、外界光とを同時に光学瞳Ｐ（または光学瞳Ｐに位置する観察者の瞳）に導く観察光学系であり、接眼プリズム４１と、偏向プリズム４２と、ＨＯＥ４３とを有して構成されている。接眼プリズム４１および偏向プリズム４２は、実施の形態１で示した第１のスクアリリウム色素を含有している。
【００６２】
接眼プリズム４１は、表示素子１４からの映像光を内部での全反射によってＨＯＥ４３に導く一方、外界光を透過させる透明な光学部材である。この接眼プリズム４１は、偏向プリズム４２とともに、例えばアクリル系樹脂（例えばＰＭＭＡ）で構成されており、平行平板の下端部を楔状にし、その上端部を厚くした形状で構成されている。また、接眼プリズム４１は、その下端部に配置されるＨＯＥ４３を挟むように、偏向プリズム４２と接着剤で接合されている。
【００６３】
接眼プリズム４１の上端面は、映像光の入射面としての面４１ａとなっており、前後方向に位置する２面は、互いに平行な面４１ｂ・４１ｃとなっている。このうち、面４１ｂは、映像光の全反射面兼射出面および外界光の射出面を構成し、面４１ｃは、外界光の入射面を構成している。
【００６４】
偏向プリズム４２は、外界光を透過させる透明な光学部材であり、接眼プリズム４１と一体となって略平行平板となるように、接眼プリズム４１の下端部に貼り合わされる。つまり、偏向プリズム４２において前後方向に位置する２つの面４２ｂ・４２ｃは、互いに平行である。そして、面４２ｂは外界光の射出面を構成し、面４２ｃは外界光の入射面を構成している。また、面４１ｂと面４２ｂ、面４１ｃと面４２ｃとは滑らかに接続されている。
【００６５】
接眼プリズム４１と偏向プリズム４２とを貼り合わせることによって略平行平板が形成されるので、接眼プリズム４１と偏向プリズム４２とをまとめて透明基板と称したとき、透明基板における外界光が透過する部分の厚みｔは一定となる。また、接眼プリズム４１と偏向プリズム４２とで一体的な略平行平板を形成することにより、外界光が接眼プリズム４１の楔状の下端部を透過するときの屈折を偏向プリズム４２でキャンセルすることができるので、シースルーで観察される外界の像に歪みが生じるのを防止することができる。
【００６６】
ＨＯＥ４３は、表示素子１４からの映像光を光学瞳Ｐの方向に正の光学パワーで回折反射させる体積位相型で反射型のホログラム光学素子である。ここで、図８は、ＨＯＥ４３の回折特性を示している。ＨＯＥ４３は、特定の入射角で入射する光であって、例えば回折効率のピーク波長および回折効率ピークの半値波長全幅で４６５±５ｎｍ（Ｂ光）、５２０±５ｎｍ（Ｇ光）、６３５±５ｎｍ（Ｒ光）の３つの波長域の光を回折反射するように作製されている。なお、図８の回折効率は、Ｂ光の最大回折効率を１００としたときの相対値で示している。
【００６７】
図６において、光源１１から出射されたＲＧＢの光は、一方向拡散板１２にて拡散され、集光レンズ１３にて集光されて表示素子１４に入射する。表示素子１４に入射した光は、画像データに基づいて各画素ごとに変調され、映像光として出射される。つまり、表示素子１４には、カラー映像が表示される。
【００６８】
表示素子１４からの映像光は、接眼光学系１５の接眼プリズム４１の内部に面４１ａから入射し、対向する２つの面４１ｂ・４１ｃで少なくとも１回ずつ全反射されて、ＨＯＥ４３に入射する。ＨＯＥ４３に入射した光は、そこで回折反射されて光学瞳Ｐに達する。したがって、光学瞳Ｐの位置に観察者の瞳を位置させることにより、観察者は、表示素子１４に表示された映像の拡大虚像を観察することができる。
【００６９】
一方、ＨＯＥ４３は、特定入射角の特定波長の光のみを回折するので、外界光にはほとんど影響せず、外界光は透明基板（接眼プリズム４１、偏向プリズム４２）およびＨＯＥ４３を透過して光学瞳Ｐに導かれる。これにより、観察者は、通常通りの外界を観察することができる。このとき、表示素子１４に表示された映像の虚像は、外界の一部に重なって観察されることになる。
【００７０】
以上のように、ＨＯＥ４３は、正の光学パワーを持つ非球面凹面ミラーと同様の機能を持っているので、装置を構成する各光学部材の配置の自由度を高めて装置を容易に小型化することができるとともに、良好に収差補正された映像を観察者に提供することができる。また、ＨＯＥ４３は、表示素子１４からの映像光と外界光とを同時に光学瞳Ｐに導くコンバイナとして機能しているので、観察者は、ＨＯＥ４３を介して、表示素子１４から提供される映像と外界とを同時に観察することができる。さらに、ＨＯＥ４３の回折効率ピーク波長は、光源１１の発光強度ピーク波長と近いので、光源１１からの光（表示素子１４からの映像光）をＨＯＥ４３にて効率よく回折させて明るい映像を表示することができる。
【００７１】
また、接眼光学系１５は、接眼プリズム４１を介して入射する表示素子１４からの映像光をＨＯＥ４３で回折反射させて光学瞳Ｐに導く。体積位相型で反射型のＨＯＥ４３は、特定の入射角で入射する特定波長の光を高い回折効率で回折反射させるので、表示素子１４からの映像光を効率よく光学瞳Ｐに導くことができ、観察者に明るい映像を観察させることができる。また、ＨＯＥ４３を透過する外界光の透過率が高いので、観察者に明るい外界を観察させることができる。
【００７２】
また、映像光を接眼プリズム４１の内部で全反射により導光する構成としているので、通常の眼鏡レンズと同程度に透明基板を薄く（例えば３ｍｍ程度）に形成することができ小型軽量となる。また、接眼プリズム４１内での反射を全反射としているので、観察者は透明基板の面４１ｂ・４１ｃ・４２ｂ・４２ｃを通して外界を明るく観察することができる。また、面４１ｂと面４２ｂ、面４１ｃと面４２ｃとは滑らかに接続されているので、観察者は広い範囲の視界で外界を観察することができる。
【００７３】
また、透明基板（接眼プリズム４１、偏向プリズム４２）は、実施の形態１で示した第１のスクアリリウム色素を含有しているので、実施の形態１と同様に、映像光および外界光に波長５５５ｎｍ付近の視感度の高い光が含まれていても、その視感度の高い光を上記色素で確実に吸収することができる。これにより、実施の形態１と同様に、観察映像の色再現領域を確実に広げることができるとともに、観察映像の視認性を確実に向上させることができる。
【００７４】
なお、ＨＯＥ４３は、上述したように、回折効率のピーク波長および回折効率ピークの半値波長全幅で４６５±５ｎｍ、５２０±５ｎｍ、６３５±５ｎｍの光を回折反射するように作製されており、光源１１から出射される光のうちで波長が５８０ｎｍ〜６１０ｎｍあたりの光はＨＯＥ４３を介して光学瞳Ｐにはほとんど到達しない。したがって、本実施形態では、実施の形態１で示した第１〜第３のスクアリリウム色素のうち、少なくとも、５４５ｎｍから５６０ｎｍの間に吸収極大の波長が存在する第１のスクアリリウム色素を透明基板に含有させることで、観察映像の視認性を向上させる効果を得ることができる。
【００７５】
また、体積位相型で反射型のＨＯＥ４３は波長選択性が高いので、光学瞳Ｐの面内の位置によって、光学瞳Ｐに入射する光の回折ピーク波長が変化する。例えば、光学瞳Ｐの上端に観察者の瞳が位置するとき、その位置に入射する映像光の回折ピーク波長は、ＲＧＢともに、光学瞳中心に入射する映像光の回折ピーク波長よりもそれぞれ約２０ｎｍだけ長波長側にシフトする。一方、光学瞳Ｐの下端に観察者の瞳が位置するとき、その位置に入射する映像光の回折ピーク波長は、ＲＧＢともに、光学瞳中心に入射する映像光の回折ピーク波長よりもそれぞれ約２０ｎｍだけ短波長側にシフトする。したがって、光学瞳Ｐの中心に観察者の瞳が位置する場合には画面内で色ムラが生じなくても、光学瞳Ｐの中心から観察者の瞳がずれた位置では、回折ピーク波長のシフトによって画面内で色ムラが生じる。特に、光学瞳Ｐの中心よりも上方に観察者の瞳が位置する場合には、Ｇの映像光は人間の視感度特性により強く感じるので、Ｇ色が強い映像に見えてしまう（Ｇの色ムラが生じる）。
【００７６】
しかし、透明基板が上記色素を含有していることにより、光学瞳Ｐの中心からずれた位置に入射するＨＯＥ４３からの映像光のうち、Ｇの発光主波長よりも長波長側の光やＲの発光主波長よりも短波長側の光を上記色素で吸収することができる。その結果、光学瞳Ｐの中心から観察者の瞳がずれた位置にあっても、画面内で色ムラが生じるのを抑えることができ、ＲＧＢの色バランスを良好に保つことができる。
【００７７】
ところで、図９は、本実施形態の映像表示装置１の他の構成を模式的に示す断面図である。同図に示すように、透明基板（接眼プリズム４１、偏向プリズム４２）の外表面の全てが、実施の形態１と同様の膜１６で覆われていてもよい。ただし、膜１６は、Ｇの発光主波長からＲの発光主波長の間に吸収極大の波長が存在する第１のスクアリリウム色素を少なくとも含む。このような構成であっても、映像光および外界光に含まれる光のうちで、視感度の高い波長５５５ｎｍ付近の光が上記色素で吸収されるので、観察映像の色再現領域を広げる効果および観察映像の視認性を向上させる効果を得ることができる。
【００７８】
なお、図９において、透明基板の外表面の全てが膜１６で覆われる必要はなく、映像光が通過する少なくとも１つの光学面および外界光が通過する少なくとも１つの光学面が膜１６で覆われていればよい。つまり、透明基板において、映像光の入射面である面４１ａと射出面である面４１ｂとの少なくとも一方、および外界光の入射面である面４１ｃ・４２ｃと射出面である面４１ｂ・４２ｂとの少なくとも一方が、Ｇの発光主波長からＲの発光主波長の間に吸収極大の波長が存在する上述した色素を有する膜１６で覆われていればよい。ただし、膜１６で覆う光学面の組み合わせを、面４１ｂと面４１ｃ・４２ｃとの組み合わせとすると、外界の明るさが２段階になるので、膜１６ａで覆う光学面の組み合わせは、映像光の入射面（面４１ａ）と外界光の入射面（面４１ｃ・４２ｃ）との組み合わせ、映像光の入射面（面４１ａ）と外界光の射出面（面４１ｂ・４２ｂ）との組み合わせ、または、映像光の射出面と外界光の射出面との組み合わせ（面４１ｂ・４２ｂ）とするほうが望ましい。
【００７９】
〔実施の形態３〕
本発明のさらに他の実施の形態について、図面に基づいて説明すれば、以下の通りである。なお、以下での説明の便宜上、実施の形態１・２と同一の構成には同一の部材番号を付記し、その説明を省略する。
【００８０】
図１０は、本実施形態のＨＵＤの概略の構成を示す断面図である。本実施形態のＨＵＤは、映像表示装置１を備えている。この映像表示装置１は、光源１１と、集光レンズ１３と、一方向拡散板１２と、表示素子１４と、観察光学系１７とを有して構成されている。以下、実施の形態２の映像表示装置１と異なる部分を中心に説明する。
【００８１】
観察光学系１７は、表示素子１４からの映像光と外界光とを同時に光学瞳Ｐ（または光学瞳Ｐに位置する観察者の瞳）に導く光学系であり、その少なくとも一部が観察者の前方の視界内に位置している。この観察光学系１７は、透明基板５１・５２と、ＨＯＥ５３とを有している。透明基板５１・５２は、ともに平板状で例えばアクリル系樹脂（例えばＰＭＭＡ）で構成されており、実施の形態１で示した第１のスクアリリウム色素を含有している。また、透明基板５１・５２は、互いに平行な状態でＨＯＥ５３を挟持するように接着剤５４・５４で貼り合わされている。接着剤５４・５４の屈折率は、透明基板５１・５２の屈折率とほぼ同じである。
【００８２】
透明基板５１において、ＨＯＥ５３との接合側の面５１ａは、外界光の入射面であり、ＨＯＥ５３との接合側とは反対側の面５１ｂは、外界光の射出面および表示素子１４からの映像光の入射面兼射出面である。また、透明基板５２において、ＨＯＥ５３との接合側とは反対側の面５２ａは、外界光の入射面であり、ＨＯＥ５３との接合側の面５２ｂは、外界光の射出面である。透明基板５１・５２はともに平板状であるため、これらの基板における外界光が透過する部分の厚みは一定と考えることができる。ＨＯＥ５３は、体積位相型で反射型のホログラム光学素子であり、図８と同様の回折特性を有している。
【００８３】
上記の構成において、光源１１から出射されたＲＧＢの光は、集光レンズ１３にて集光された後、一方向拡散板１２にて拡散されて表示素子１４に入射する。表示素子１４に入射した光は、画像データに基づいて各画素ごとに変調され、映像光として出射される。つまり、表示素子１４には、カラー映像が表示される。
【００８４】
表示素子１４からの映像光は、観察光学系１７の透明基板５１に面５１ｂから入射し、面５１ａを介してＨＯＥ５３に入射した後、ＨＯＥ５３にて回折反射され、面５１ａ・５１ｂを介して光学瞳Ｐに導かれる。したがって、光学瞳Ｐの位置に観察者の瞳を位置させることにより、観察者は、表示素子１４に表示された映像の拡大虚像を観察することができる。
【００８５】
一方、ＨＯＥ５３は、特定入射角の特定波長の光のみを回折するので、外界光にはほとんど影響せず、外界光は透明基板５２の面５２ａ・５２ｂ、ＨＯＥ５３、透明基板５１の面５１ａ・５１ｂを順に透過して光学瞳Ｐに導かれる。これにより、観察者は、光学瞳Ｐの位置にて通常通りの外界を観察することができる。このとき、表示素子１４に表示された映像の虚像は、外界の一部に重なって観察されることになる。
【００８６】
以上のように、映像表示装置１の観察光学系１７の少なくとも一部を観察者の視界内に位置させることにより、観察者に表示映像の虚像と外界とを同時に観察させるＨＵＤを構成することができる。このとき、透明基板５１・５２をほぼ平行となるように配置し、接着剤５４・５４の屈折率を透明基板５１・５２の屈折率とほぼ同じにすることで、観察者は透明基板５１・５２を介して外界の像を歪むことなく見ることができる。
【００８７】
また、透明基板５１・５２は、実施の形態１で示した第１のスクアリリウム色素を含有しているので、実施の形態１と同様に、映像光および外界光に波長５５５ｎｍ付近の視感度の高い光が含まれていても、その視感度の高い光を上記色素で確実に吸収することができる。これにより、実施の形態１と同様に、観察映像の色再現領域を確実に広げることができるとともに、観察映像の視認性を確実に向上させることができる。
【００８８】
なお、本実施形態では、透明基板５１・５２のうち、表示素子１４からの映像光が通過するのは透明基板５１のみである。一方、外界光は、透明基板５１・５２の両方を透過する。したがって、本実施形態においては、少なくとも透明基板５１が上記の色素を含有していれば、観察映像の色再現領域を広げる効果および観察映像の視認性を向上させる効果を得ることができる。
【００８９】
なお、ＨＯＥ５３は、実施の形態２のＨＯＥ４３と同様の回折特性を有しているので、光源１１から出射される光のうちで波長が５８０ｎｍ〜６１０ｎｍあたりの光はＨＯＥ５３を介して光学瞳Ｐにはほとんど到達しない。したがって、本実施形態においても、実施の形態１で示した第１〜第３のスクアリリウム色素のうち、少なくとも、５４５ｎｍから５６０ｎｍの間に吸収極大の波長が存在する第１のスクアリリウム色素を透明基板に含有させることで、観察映像の視認性を向上させる効果を得ることができる。
【００９０】
また、体積位相型で反射型のＨＯＥ５３は波長選択性が高いので、例えば、光学瞳Ｐの上端に観察者の瞳が位置するとき、その位置に入射する映像光の回折ピーク波長は、ＲＧＢともに、光学瞳中心に入射する映像光の回折ピーク波長よりもそれぞれ約２０ｎｍだけ短波長側にシフトする。一方、光学瞳Ｐの下端に観察者の瞳が位置するとき、その位置に入射する映像光の回折ピーク波長は、ＲＧＢともに、光学瞳中心に入射する映像光の回折ピーク波長よりもそれぞれ約２０ｎｍだけ長波長側にシフトする。なお、回折ピーク波長が長波長側にシフトする方向が実施の形態２と逆なのは、ＨＯＥに対する映像光の入射方向が実施の形態２と逆だからである。したがって、特に、光学瞳Ｐの中心よりも下方に観察者の瞳が位置する場合には、Ｇの映像光は人間の視感度特性により強く感じるので、Ｇ色が強い映像に見えてしまう（Ｇの色ムラが生じる）。
【００９１】
しかし、少なくとも透明基板５１が上記色素を含有していることにより、光学瞳Ｐの中心からずれた位置に入射するＨＯＥ５３からの映像光のうち、Ｇの発光主波長よりも長波長側の光やＲの発光主波長よりも短波長側の光を上記色素で吸収することができる。その結果、光学瞳Ｐの中心から観察者の瞳がずれた位置にあっても、画面内で色ムラが生じるのを抑えることができ、ＲＧＢの色バランスを良好に保つことができる。
【００９２】
ところで、図１１は、本実施形態の映像表示装置１の他の構成を模式的に示す断面図である。同図に示すように、透明基板５１・５２の外表面の全てが、実施の形態１と同様の膜１６で覆われていてもよい。ただし、膜１６は、Ｇの発光主波長からＲの発光主波長の間に吸収極大の波長が存在する第１のスクアリリウム色素を少なくとも含む。このような構成であっても、映像光および外界光に含まれる光のうちで、視感度の高い波長５５５ｎｍ付近の光が上記色素で吸収されるので、観察映像の色再現領域を広げる効果および観察映像の視認性を向上させる効果を得ることができる。
【００９３】
なお、図１１において、透明基板５１・５２の外表面の全てが膜１６で覆われる必要はなく、少なくとも透明基板５１において、映像光が通過する少なくとも１つの光学面および外界光が通過する少なくとも１つの光学面が膜１６で覆われていればよい。つまり、透明基板５１の面５１ａ・５１ｂの少なくとも一方の光学面が、Ｇの発光主波長からＲの発光主波長の間に吸収極大の波長が存在する上述した色素を有する膜１６で覆われていればよい。
【００９４】
なお、以上で説明した各実施の形態の構成を適宜組み合わせて映像表示装置ひいてはＨＭＤやＨＵＤを構成することも勿論可能である。
【産業上の利用可能性】
【００９５】
本発明の映像表示装置は、例えばＨＭＤやＨＵＤに利用することが可能である。
【符号の説明】
【００９６】
１      映像表示装置
２      支持手段
１１      光源
１４      表示素子
１５      接眼光学系（観察光学系）
１６      膜
１７      観察光学系
３１      第１の透明基板
３１ａ    面（光学面）
３１ｂ    面（光学面）
３２      第２の透明基板
３２ａ    面（光学面）
３２ｂ    面（光学面）
４１      接眼プリズム（透明基板）
４１ａ    面（光学面）
４１ｂ    面（光学面）
４１ｃ    面（光学面）
４２      偏向プリズム（透明基板）
４２ｂ    面（光学面）
４２ｃ    面（光学面）
４３      ＨＯＥ
５１      透明基板
５１ａ    面（光学面）
５１ｂ    面（光学面）
５２      透明基板
５２ａ    面（光学面）
５２ｂ    面（光学面）
５３      ＨＯＥ
Ｐ      光学瞳
【図１】
2010271526.tif 000006
【図２】
2010271526.tif 000007
【図３】
2010271526.tif 000008
【図４】
2010271526.tif 000009
【図５】
2010271526.tif 000010
【図６】
2010271526.tif 000011
【図７】
2010271526.tif 000012
【図８】
2010271526.tif 000013
【図９】
2010271526.tif 000014
【図１０】
2010271526.tif 000015
【図１１】
2010271526.tif 000016
【図１２】
2010271526.tif 000017